(57)【要約】【課題】  Ｅｔｈｅｒｎｅｔ（登録商標）リングネットワークにおいて効率の良いプロテクションが可能な伝送装置および伝送方法を提供する。【解決手段】  伝送装置は、フレームを受信する入口側エッジ装置（１０）と、複数の宛先ＭＡＣアドレスが設定された出口側エッジ装置（３０）と、入口側エッジ装置（１０）と出口側エッジ装置（３０）との間の現用系のパスに障害を検知した場合にフレームの宛先ＭＡＣアドレスを出口側エッジ装置（３０）の他の宛先ＭＡＣアドレスに書換える書換え手段（２１）と、を備える。【選択図】  図１
2010074674.tif 000002
【特許請求の範囲】
【請求項１】
フレームを受信する入口側エッジ装置と、
複数の宛先ＭＡＣアドレスが設定された出口側エッジ装置と、
前記入口側エッジ装置と前記出口側エッジ装置との間の現用系のパスに障害を検知した場合に、前記フレームの宛先ＭＡＣアドレスを前記出口側エッジ装置の他の宛先ＭＡＣアドレスに書換える書換え部と、を備えることを特徴とする伝送装置。
【請求項２】
前記入口側エッジ装置は、受信するフレームの送信元ＭＡＣアドレスが自身のアドレスである場合に前記フレームを破棄し、前記送信元ＭＡＣアドレスが自身のアドレスであっても前記フレームの宛先ＭＡＣアドレスが前記書換え部によって書換えられた場合には前記フレームを破棄しないことを特徴とする請求項１記載の伝送装置。
【請求項３】
前記入口側エッジ装置には、複数の送信元ＭＡＣアドレスが設定されており、
前記書換え部は、前記障害を検知した場合に、前記フレーム送信元ＭＡＣアドレスを前記入口側エッジ装置の他のアドレスに書換えることを特徴とする請求項１または２記載の伝送装置。
【請求項４】
前記入口側エッジ装置は、前記フレームの送信元ＭＡＣアドレスが前記書換え部によって書換えられた場合には前記フレームを破棄しないことを特徴とする請求項３記載の伝送装置。
【請求項５】
前記書換え部は、前記障害を検知した場合に、前記フレームのヘッダ情報を書換えることを特徴とする請求項１〜４のいずれかに記載の伝送装置。
【請求項６】
前記ヘッダ情報は、ＶＬＡＮ−ＩＤであることを特徴とする請求項５記載の伝送装置。
【請求項７】
前記入口側エッジ装置は、受信するフレームの送信元ＭＡＣアドレスが自身のアドレスである場合に前記フレームを破棄し、前記送信元ＭＡＣアドレスが自身のアドレスであっても前記ＶＬＡＮ−ＩＤが所定の値に書換えられた場合には前記フレームを破棄しないことを特徴とする請求項６記載の伝送装置。
【請求項８】
入口側エッジ装置においてフレームを受信する受信ステップと、
入口側エッジ装置と出口側エッジ装置との間の現用系のパスに障害を検知した場合に、前記フレームの宛先ＭＡＣアドレスを前記出口側エッジ装置の他の宛先ＭＡＣアドレスに書換える書換えステップと、を含むことを特徴とする伝送方法。
【請求項９】
前記入口側エッジ装置において受信するフレームの送信元ＭＡＣアドレスが前記入口側エッジ装置のアドレスである場合に前記フレームを破棄し、前記送信元ＭＡＣアドレスが前記入口側エッジ装置のアドレスであっても前記フレームの宛先ＭＡＣアドレスが前記書換えステップにおいて書換えられた場合には前記フレームを破棄しないことを特徴とする請求項８記載の伝送方法。
【請求項１０】
前記書換えステップにおいて、前記障害を検知した場合に、前記フレーム送信元ＭＡＣアドレスを前記入口側エッジ装置の他のアドレスに書換えることを特徴とする請求項８または９記載の伝送方法。
【請求項１１】
前記入口側エッジ装置において受信する前記フレームの送信元ＭＡＣアドレスが前記書換え部によって書換えられた場合には前記フレームを破棄しないことを特徴とする請求項１０記載の伝送方法
【請求項１２】
前記書換えステップにおいて、前記障害を検知した場合に、前記フレームのヘッダ情報を書換えることを特徴とする請求項８〜１１のいずれかに記載の伝送方法。
【請求項１３】
前記ヘッダ情報は、ＶＬＡＮ−ＩＤであることを特徴とする請求項１２記載の伝送方法。
【請求項１４】
前記入口側エッジ装置において受信するフレームの送信元ＭＡＣアドレスが前記入口側エッジ装置のアドレスである場合に前記フレームを破棄し、前記送信元ＭＡＣアドレスが前記入口側エッジ装置のアドレスであっても前記ＶＬＡＮ−ＩＤが所定の値に書換えられた場合には前記フレームを破棄しないことを特徴とする請求項１３記載の伝送方法。
【発明の詳細な説明】
【技術分野】
【０００１】
本発明は、伝送装置および伝送方法に関する。
【背景技術】
【０００２】
広域イーサネット（登録商標）サービスを提供する技術として、ＩＥＥＥ８０２．１ａｄで規定されているＱ−ｉｎ−Ｑと呼ばれるＶＬＡＮタグを複数付与する方式がある。よりスケーラビリティのある技術として、ＩＥＥＥ８０２．１ａｈ ＰＢＢ（Provider Backbone Bridge）、ＩＥＥＥ８０２．１Ｑａｙ ＰＢＢ−ＴＥ（Provider Backbone Bridge - Traffic Engineering）等の標準化が進められている。これらのネットワークにおいて回線切断等の障害から信号をプロテクトするために、プロテクションの技術が開発されている（例えば、特許文献１参照）。
【０００３】
【特許文献１】特表２００６−５２０５７２号公報
【発明の開示】
【発明が解決しようとする課題】
【０００４】
ＩＥＥＥ８０２．１Ｑａｙ標準化の中でＰＢＢ−ＴＥにおける１：１パスプロテクションの検討がなされている。しかしながら、１：１パスプロテクションではパスの入口で切替が行われるため、障害発生から障害通知までに時間がかかるという問題がある。また、１＋１プロテクションの場合、出口側で切替が行われるため障害時間の短縮につながるが、予備系のパスにもフレームを常に流す必要が生じる。それにより、帯域の利用効率が低下する。
【０００５】
また、ＰＢＢ−ＴＥフレームをＭＡＣ−ｉｎ−ＭＡＣ方式でカプセル化するＢ−ｔｕｎｎｅｌ技術でセグメントプロテクションを実施しようとすると、オーバーヘッドが大きくなってしまう。ここで、ＭＡＣとは、Media Access Controlのことである。
【０００６】
本発明は上記課題に鑑みなされたものであり、効率の良いプロテクションが可能な伝送装置および伝送方法を提供することを目的とする。
【課題を解決するための手段】
【０００７】
上記課題を解決するために、明細書開示の伝送装置は、フレームを受信する入口側エッジ装置と、複数の宛先ＭＡＣアドレスが設定された出口側エッジ装置と、入口側エッジ装置と出口側エッジ装置との間の現用系のパスに障害を検知した場合にフレームの宛先ＭＡＣアドレスを出口側エッジ装置の他の宛先ＭＡＣアドレスに書換える書換え手段と、を備えるものである。
【０００８】
上記課題を解決するために、明細書開示の伝送方法は、入口側エッジ装置においてフレームを受信する受信ステップと、入口側エッジ装置と出口側エッジ装置との間の現用系のパスに障害を検知した場合にフレームの宛先ＭＡＣアドレスを出口側エッジ装置の他の宛先ＭＡＣアドレスに書換える書換えステップと、を含むものである。
【発明の効果】
【０００９】
明細書開示の伝送装置および伝送方法によれば、効率の良いプロテクションを実現することができる。
【発明を実施するための最良の形態】
【００１０】
以下、図面を参照しつつ、本発明の実施例について説明する。
【実施例１】
【００１１】
図１は、実施例１に係る伝送装置が適用されるＰＢＢ−ＴＥネットワーク１００の全体構成を示す模式図である。本実施例においては、ネットワーク１００は、ＰＢＢ（Provider Backbone Bridge）で構成されたネットワークであって、ＩＥＥＥ８０２．１ａｄ ＰＢＮ（Provider Bridged Network）を収容および接続するバックボーンネットワーク（ＰＢＢＮ：Provider Backbone Bridged Network）である。ＰＢＢは、ユーザのＥｔｈｅｒｎｅｔ（登録商標）フレームをＭＡＣ−ｉｎ−ＭＡＣ方式でカプセル化して中継する方式である。ＰＢＢ−ＴＥは、トラフィックの経路制御ができるようにＰＢＢを拡張した方式である。
【００１２】
図１に示すように、ネットワーク１００は、入口側のエッジ装置（ＢＥＢ：Backbone Edge Bridge）１０、複数の中継装置（ＢＣＢ：Backbone Core Bridge）２０および出口側のエッジ装置３０を含む。エッジ装置１０は、カプセル化処理部１１および転送処理部１２を含む。各中継装置２０は、書換え部２１および転送処理部２２を含む。
【００１３】
図２は、ＰＢＢ−ＴＥのフレームフォーマットを示す図である。図２に示すように、ユーザデータは、Ｉ−ＴＡＧ（Backbone Service Instance tag）と、Ｂ−ＴＡＧ（Backbone VLAN tag）と、Ｂ−ＤＡ（Backbone 宛先MACアドレス）と、Ｂ−ＳＡ（Backbone 送信元MACアドレス）と、によってカプセル化される。
【００１４】
Ｂ−ＳＡは、ＰＢＢＮへの入口側エッジ装置のことであり、カプセル化するエッジ装置のＭＡＣアドレスによって示される。Ｂ−ＴＡＧは、ＩＥＥＥ８０２．１ａｄで規定されるService VLAN TAGと同一のフォーマットを有し、Ｂ−ＴＡＧ ＴＰＩＤとＢ−ＴＡＧ ＴＣＩ（Tag Control Information）とによって構成される。Ｂ−ＴＡＧ ＴＣＩには、Backbone VLAN ID(B-VID) １２ビットが含まれる。
【００１５】
Ｉ−ＴＡＧは、ユーザフレームの宛先ＭＡＣアドレス（Ｃ−ＤＡ）、送信元ＭＡＣアドレス（Ｃ−ＳＡ）、ユーザ識別子のＩ−ＳＩＤ（Backbone Service Instance Identifier）を含む。ＴＰＩＤ（Tag Protocol Identifier）は、タグの種類を示す。
【００１６】
図３は、ＰＢＢ−ＴＥ装置でリングネットワークを構築した場合における、伝送装置の構成および各中継装置の事前設定例を説明するための模式図である。図３においては、入口側のエッジ装置１０に符号Ｎ１を付してある。また、出口側のエッジ装置３０に符号Ｎ４を付してある。図３においては、入口側のエッジ装置Ｎ１から中継装置Ｎ２，Ｎ３を通って出口側のエッジ装置３０に到達する経路と、入口側のエッジ装置Ｎ１から中継装置Ｎ６，Ｎ５を通って出口側のエッジ装置３０に到達する経路と、がある。伝送装置は、これらのエッジ装置Ｎ１，Ｎ４および中継装置Ｎ２，Ｎ３，Ｎ５，Ｎ６によって構成される。
【００１７】
エッジ装置Ｎ１のＭＡＣアドレス（Ｂ−ＭＡＣ）のメインをＸ１とし、サブをＸ２とする。同様に、エッジ装置Ｎ４のＢ−ＭＡＣのメインをＹ１とし、サブをＹ２とする。図３においては、２種類のＥＳＰ（Ethernet（登録商標） Switched Path）が用意されている。一方のＥＳＰを現用系パス（Protected Path）、他方のＥＳＰを予備系パス（Backup Path）として用いる。これらのパスに使用するＢ−ＶＩＤは共に１０とする。
【００１８】
図３に示すテーブルは、フレーム中継用のＦＤＢ（Filtering Database）である。中継装置におけるユーザフレームのカプセル化処理用のテーブルは省略されている。エッジ装置Ｎ１においては、現用系パスのエントリはユーザフレームのカプセル化処理用のテーブルに格納されている。図３においては、予備系パスの中継用のエントリが記載されている。
【００１９】
中継装置Ｎ２のＦＤＢには、１つの＜Ｂ−ＤＡ，Ｂ−ＶＩＤ＞エントリに対して、現用系パスおよび予備系パスの情報が保持されている。中継装置Ｎ３も中継装置Ｎ２と同様である。中継装置Ｎ６は現用系パスを通らないので、予備系パスのみのエントリを保持する。中継装置Ｎ５も中継装置Ｎ６と同様である。
【００２０】
まず、正常時の動作について説明する。エッジ装置Ｎ１は、リング外の装置からユーザフレームを受信する。エッジ装置Ｎ１のカプセル化処理部１１は、ユーザフレームにユーザ識別子としてＩ−ＳＩＤを付与する。また、カプセル化処理部１１は、Ｂ−ＳＡに送信元のアドレス（Ｘ１）を付与するとともに、Ｂ−ＤＡにフレームの送信先アドレス（Ｙ１）を付与する。さらに、カプセル化処理部１１は、ユーザフレームにＢ−ＶＩＤ＝１０を付与する。転送処理部１２は、カプセル化処理部１１によってカプセル化されたフレームを中継装置Ｎ２に送信する。
【００２１】
中継装置Ｎ２，Ｎ３は、それぞれポート１からフレームを受信する。中継装置Ｎ２，Ｎ３は、受信したフレームの送信元アドレスが自身のアドレスであれば、そのフレームを破棄する機能を持つことがある。本実施例においてはＢ−ＳＡ＝Ｘ１であるので、中継装置Ｎ２，Ｎ３はフレームを破棄しない。中継装置Ｎ２，Ｎ３は、受信したフレームのＢ−ＶＩＤ＋Ｂ−ＤＡでＦＤＢを引き、送信ポートを決定する。中継装置Ｎ２，Ｎ３は、ポート２からフレームを送信する。
【００２２】
出口側のエッジ装置Ｎ４は、受信したフレームのＢ−ＳＡアドレスが自身のアドレスであれば、そのフレームを破棄する。本実施例においてはＢ−ＳＡ＝Ｘ１であるので、エッジ装置Ｎ４はフレームを破棄しない。エッジ装置Ｎ４は、受信したフレームのＢ−ＤＡ＝Ｙ１が自身のアドレスであるので、フレームを終端し、Ｂ−ＴＡＧ、Ｂ−ＤＡ／ＳＡおよびＩ−ＴＡＧを除去し、ユーザフレームを生成する。
【００２３】
次に、図４を参照しつつ、中継装置Ｎ２と中継装置Ｎ３との間に障害が発生した場合の動作について説明する。入口側のエッジ装置Ｎ１は、リング外の装置からユーザフレームを受信する。エッジ装置Ｎ１のカプセル化処理部１１は、ユーザフレームにユーザ識別子としてＩ−ＳＩＤを付与する。また、カプセル化処理部１１は、Ｂ−ＳＡに送信元のアドレス（Ｘ１）を付与するとともに、Ｂ−ＤＡにフレームの送信先アドレス（Ｙ１）を付与する。さらに、カプセル化処理部１１は、ユーザフレームにＢ−ＶＩＤ＝１０を付与する。転送処理部１２は、カプセル化処理部１１によってカプセル化されたフレームを中継装置Ｎ２に送信する。
【００２４】
中継装置Ｎ２は、ポート１からフレームを受信する。中継装置Ｎ２は、受信したフレームのＢ−ＶＩＤ＋Ｂ−ＤＡでＦＤＢを引き、送信ポートを決定する。送信ポートである中継装置Ｎ３へのリンクがダウンしている（Workがsignal fail）ため、プロテクション側にフレームを転送する。この際に、書換え部２１は、エントリからＢ−ＤＡをＹ２に書換え、フレームをポート１から送信する。
【００２５】
エッジ装置Ｎ１は、受信したフレームのＢ−ＳＡが自身のアドレスである場合にはフレームを破棄するように設定されている。受信フレームのＢ−ＳＡは、ループフレーム破棄のためにアドレス（Ｘ１）になっている。しかしながら、本実施例に係るエッジ装置Ｎ１は、書換え部２１によってＢ−ＤＡが書き換えられると、フレームを破棄しない。ここで、Ｂ−ＳＡがサブアドレスであるかどうかを判断する方法として、サブのアドレスをエッジ装置１０内に予め登録しておいてもよく、特定範囲のＭＡＣアドレスをサブとして定義しておいてもよい。転送処理部１２は、受信したフレームのＢ−ＶＩＤ（１０）＋Ｂ−ＤＡ（Ｙ２）でＦＤＢを引き、送信ポートを決定する。この場合、転送処理部１２は、中継装置Ｎ６にフレームを送信する。
【００２６】
中継装置Ｎ６，Ｎ５は、ポート１からフレームを受信する。中継装置Ｎ６，Ｎ５は、受信したフレームのＢ−ＶＩＤ（１０）＋Ｂ−ＤＡ（Ｙ２）でＦＤＢを引き、送信ポートを決定する。この場合、中継装置Ｎ６，Ｎ５は、ポート２からフレームを送信する。出口側のエッジ装置Ｎ４は、受信したフレームのＢ−ＤＡ＝Ｙ２が自身のアドレスであるので、フレームを終端し、Ｂ−ＴＡＧ、Ｂ−ＤＡ／ＳＡおよびＩ−ＴＡＧを除去し、ユーザフレームを生成する。
【００２７】
図５に、中継装置Ｎ２が実行するフローチャートの一例を示す。図５に示すように、中継装置Ｎ２は、フレームを受信する（ステップＳ１）。次に、中継装置Ｎ２は、Ｂ−ＳＡアドレスが自身のアドレスであるか否かを判定する（ステップＳ２）。ステップＳ２においてＢ−ＳＡアドレスが自身のアドレスであると判定された場合、中継装置Ｎ２はフレームを破棄し（ステップＳ３）、フローチャートの実行を終了する。
【００２８】
ステップＳ２においてＢ−ＳＡアドレスが自身のアドレスであると判定されなかった場合、中継装置Ｎ２は、Ｂ−ＶＩＤ＋Ｂ−ＤＡでＦＤＢを検索する（ステップＳ４）。次に、中継装置Ｎ２は、現用系のリンクが正常であるか否かを判定する（ステップＳ５）。ステップＳ５において現用系のリンクが正常であると判定されなかった場合、中継装置Ｎ２は、Ｂ−ＤＡをサブアドレスに書換える（ステップＳ６）。次いで、中継装置Ｎ２は、フレームを送信し（ステップＳ７）、フローチャートの実行を終了する。なお、ステップＳ５において現用系のリンクが正常であると判定された場合、中継装置Ｎ２は、ステップＳ７を実行する。
【００２９】
本実施例に係る伝送装置によれば、ＰＢＢ−ＴＥ等のＥｔｈｅｒｎｅｔ（登録商標）リングネットワークにセグメントプロテクションを提供できるようになる。この場合、Ｂ−ｔｕｎｎｅｌ方式に比べてオーバーヘッドを削減することができる。また、一般的なセグメントプロテクションと異なり、折り返したバックアップパスが反対側の障害端点まで到達しないので、遅延削減および帯域節約が可能となる。以上のことから、効率の良いプロテクションを実現することができる。
【００３０】
なお、障害端点においてＢ−ＳＡを書換えてもよい。この場合、図３における出口側のエッジ装置Ｎ４のＦＤＢのエントリにＢ−ＳＡの要素が追加される。入口側のエッジ装置Ｎ１は、リング外の装置からユーザフレームを受信する。カプセル化処理部１１は、ユーザフレームにユーザ識別子としてＩ−ＳＩＤを付与する。また、カプセル化処理部１１は、Ｂ−ＳＡにフレームの送信元のアドレス（Ｘ１）を付与するとともに、Ｂ−ＤＡにフレームの送信先アドレス（Ｙ１）を付与する。さらに、カプセル化処理部１１は、ユーザフレームにＢ−ＶＩＤ＝１０を付与する。転送処理部１２は、カプセル化処理部１１によってカプセル化されたフレームを中継装置Ｎ２に送信する。
【００３１】
中継装置Ｎ２は、ポート１からフレームを受信する。中継装置Ｎ２は、受信したフレームのＢ−ＶＩＤ＋Ｂ−ＤＡでＦＤＢを引き、送信ポートを決定する。送信ポートである中継装置Ｎ３へのリンクがダウンしているため、プロテクション側にフレームを転送する。この際に、書換え部２１は、エントリからＢ−ＤＡをＹ２に書換え、Ｂ−ＳＡをＸ２に書換え、フレームをポート１から送信する。
【００３２】
エッジ装置Ｎ１は、受信したフレームのＢ−ＳＡが自身のサブアドレス（Ｘ２）になっているので、フレームを破棄しない。転送処理部１２は、受信したフレームのＢ−ＶＩＤ（１０）＋Ｂ−ＤＡ（Ｙ２）でＦＤＢを引き、送信ポートを決定する。この場合、転送処理部１２は、中継装置Ｎ６にフレームを送信する。
【００３３】
中継装置Ｎ６，Ｎ５は、ポート１からフレームを受信する。中継装置Ｎ６，Ｎ５は、受信したフレームのＢ−ＶＩＤ（１０）＋Ｂ−ＤＡ（Ｙ２）でＦＤＢを引き、送信ポートを決定する。この場合、中継装置Ｎ６，Ｎ５は、ポート２からフレームを送信する。出口側のエッジ装置Ｎ４は、受信したフレームのＢ−ＤＡ＝Ｙ２が自身のアドレスであるので、フレームを終端し、Ｂ−ＴＡＧ、Ｂ−ＤＡ／ＳＡおよびＩ−ＴＡＧを除去し、ユーザフレームを生成する。
【００３４】
このように送信元ＭＡＣアドレスを書換えてもよい。この場合においても、ＰＢＢ−ＴＥ等のＥｔｈｅｒｎｅｔ（登録商標）リングネットワークにセグメントプロテクションを提供できるようになる。また、Ｂ−ｔｕｎｎｅｌ方式に比べてオーバーヘッドを削減することができる。さらに、一般的なセグメントプロテクションと異なり、折り返したバックアップパスが反対側の障害端点まで到達しないので、遅延削減および帯域節約が可能となる。
【実施例２】
【００３５】
図６は、実施例２に係る入口側のエッジ装置１０ａについて説明するための模式図である。エッジ装置１０ａは、パスプロテクションを実施するためのエッジ装置である。図６に示すように、エッジ装置１０ａは、カプセル化処理部１１ａおよび転送処理部１２ａを含む。転送処理部１２ａは、Work/Prot.選択部１３、書換え部１４およびＢＶＩＤ付与部１５を含む。
【００３６】
エッジ装置１０ａは、外部ネットワークの装置からユーザフレームを受信する。カプセル化処理部１１ａは、ユーザフレームにユーザ識別子としてＩ−ＳＩＤを付与する。また、カプセル化処理部１１ａは、Ｂ−ＳＡに自身のアドレス（Ｘ１）を付与するとともに、Ｂ−ＤＡにフレームの送信先アドレス（Ｙ１）を付与する。さらに、カプセル化処理部１１ａは、ユーザフレームにＢ−ＶＩＤ＝１０を付与し、転送処理部１２ａにカプセル化されたフレームを送信する。
【００３７】
転送処理部１２ａは、カプセル化処理部１１ａからフレームを受け取り、Ｉ−ＳＩＤ（＋Ｂ−ＤＡ）からＢ−ＶＩＤおよび送信ポートを決定する。この場合、WorkがInactiveであるとすると、Work/Prot.選択部１３は、出力ポート２をポート２に設定する。この場合、書換え部１４は、Ｂ−ＤＡ＝Ｙ１をＢ−ＤＡ＝Ｙ２に書換える。ＢＶＩＤ付与部１５は、フレームにＢ−ＶＩＤを付与してポート２にフレームを送信する。
【００３８】
図示しない中継装置においては、あらかじめＢ−ＶＩＤ＝１０、Ｂ−ＤＡ＝Ｙ２の経路を設定してある。それにより、各中継装置は、受信したフレームのＢ−ＶＩＤ＋Ｂ−ＤＡでＦＤＢを引き、送信ポートを決定してフレームを送信する。
【００３９】
出口側のエッジ装置は、ループ防止のため、Ｂ−ＳＡ＝Ｙ１（またはＹ２）ではないことを確認する。出口側のエッジ装置は、受信したフレームのＢ−ＤＡ＝Ｙ２が自身のアドレスであるため、フレームを終端し、Ｂ−ＴＡＧ、Ｂ−ＤＡ／ＳＡおよびＩ−ＴＡＧを除去し、ユーザフレームを生成する。
【００４０】
図７に、入口側のエッジ装置１０ａが実行するフローチャートの一例を示す。図７に示すように、エッジ装置１０ａは、フレームを受信する（ステップＳ１１）。次に、カプセル化処理部１１ａは、フレームをカプセル化する。次いで、カプセル化処理部１１ａは、Ｂ−ＶＩＤ＋Ｂ−ＤＡｄｅテーブルを検索する（ステップＳ１３）。
【００４１】
次に、Work/Prot.選択部１３は、現用系Workがactiveであるか否かを判定する（ステップＳ１４）。ステップＳ１４において現用系Workがactiveであると判定されなかった場合、書換え部１４は、Ｂ−ＤＡをサブアドレスに書換える（ステップＳ１５）。次に、ＢＶＩＤ付与部１５は、フレームにＢ−ＶＩＤを付与し（ステップＳ１６）、フレームを送信する（ステップＳ１７）。その後、フローチャートの実行が終了する。なお、ステップＳ１４において現用系Workがactiveであると判定された場合、ＢＶＩＤ付与部１５は、ステップＳ１６を実行する。
【００４２】
上記パスプロテクションにおいては、１２ビットのＢ−ＶＩＤではなく４８ビットのＭＡＣアドレスを使用することによって、Ｂ−ＶＩＤラベル空間を節約することができる。それにより、効率の良いプロテクションを実現することができる。
【００４３】
なお、上記各実施例において、入口側のエッジ装置１０は、送信元ＭＡＣアドレスが自身のアドレスであっても書換え部によってＶＬＡＮ−ＩＤが所定の値に書換えられた場合にはフレームを破棄しないように設定されていてもよい。
【００４４】
以上、本発明の実施例について詳述したが、本発明は係る特定の実施例に限定されるものではなく、特許請求の範囲に記載された本発明の要旨の範囲内において、種々の変形・変更が可能である。
【００４５】
（付記）
（付記１）
フレームを受信する入口側エッジ装置と、
複数の宛先ＭＡＣアドレスが設定された出口側エッジ装置と、
前記入口側エッジ装置と前記出口側エッジ装置との間の現用系のパスに障害を検知した場合に、前記フレームの宛先ＭＡＣアドレスを前記出口側エッジ装置の他の宛先ＭＡＣアドレスに書換える書換え部と、を備えることを特徴とする伝送装置。
（付記２）
前記入口側エッジ装置は、受信するフレームの送信元ＭＡＣアドレスが自身のアドレスである場合に前記フレームを破棄し、前記送信元ＭＡＣアドレスが自身のアドレスであっても前記フレームの宛先ＭＡＣアドレスが前記書換え部によって書換えられた場合には前記フレームを破棄しないことを特徴とする付記１記載の伝送装置。
（付記３）
前記入口側エッジ装置には、複数の送信元ＭＡＣアドレスが設定されており、
前記書換え部は、前記障害を検知した場合に、前記フレーム送信元ＭＡＣアドレスを前記入口側エッジ装置の他のアドレスに書換えることを特徴とする付記１または２記載の伝送装置。
（付記４）
前記入口側エッジ装置は、前記フレームの送信元ＭＡＣアドレスが前記書換え部によって書換えられた場合には前記フレームを破棄しないことを特徴とする付記３記載の伝送装置。
（付記５）
前記書換え部は、前記障害を検知した場合に、前記フレームのヘッダ情報を書換えることを特徴とする付記１〜４のいずれかに記載の伝送装置。
（付記６）
前記ヘッダ情報は、ＶＬＡＮ−ＩＤであることを特徴とする付記５記載の伝送装置。
（付記７）
前記入口側エッジ装置は、受信するフレームの送信元ＭＡＣアドレスが自身のアドレスである場合に前記フレームを破棄し、前記送信元ＭＡＣアドレスが自身のアドレスであっても前記ＶＬＡＮ−ＩＤが所定の値に書換えられた場合には前記フレームを破棄しないことを特徴とする付記６記載の伝送装置。
（付記８）
入口側エッジ装置においてフレームを受信する受信ステップと、
入口側エッジ装置と出口側エッジ装置との間の現用系のパスに障害を検知した場合に、前記フレームの宛先ＭＡＣアドレスを前記出口側エッジ装置の他の宛先ＭＡＣアドレスに書換える書換えステップと、を含むことを特徴とする伝送方法。
（付記９）
前記入口側エッジ装置において受信するフレームの送信元ＭＡＣアドレスが前記入口側エッジ装置のアドレスである場合に前記フレームを破棄し、前記送信元ＭＡＣアドレスが前記入口側エッジ装置のアドレスであっても前記フレームの宛先ＭＡＣアドレスが前記書換えステップにおいて書換えられた場合には前記フレームを破棄しないことを特徴とする付記８記載の伝送方法。
（付記１０）
前記書換えステップにおいて、前記障害を検知した場合に、前記フレーム送信元ＭＡＣアドレスを前記入口側エッジ装置の他のアドレスに書換えることを特徴とする付記８または９記載の伝送方法。
（付記１１）
前記入口側エッジ装置において受信する前記フレームの送信元ＭＡＣアドレスが前記書換え部によって書換えられた場合には前記フレームを破棄しないことを特徴とする付記１０記載の伝送方法
（付記１２）
前記書換えステップにおいて、前記障害を検知した場合に、前記フレームのヘッダ情報を書換えることを特徴とする付記８〜１１のいずれかに記載の伝送方法。
（付記１３）
前記ヘッダ情報は、ＶＬＡＮ−ＩＤであることを特徴とする付記１２記載の伝送方法。
（付記１４）
前記入口側エッジ装置において受信するフレームの送信元ＭＡＣアドレスが前記入口側エッジ装置のアドレスである場合に前記フレームを破棄し、前記送信元ＭＡＣアドレスが前記入口側エッジ装置のアドレスであっても前記ＶＬＡＮ−ＩＤが所定の値に書換えられた場合には前記フレームを破棄しないことを特徴とする付記１３記載の伝送方法。
【図面の簡単な説明】
【００４６】
【図１】実施例１に係る伝送装置が適用されるネットワークの全体構成を示す模式図である。
【図２】ＰＢＢのフレームフォーマットを示す図である。
【図３】伝送装置の構成および各中継装置の事前設定例を説明するための模式図である。
【図４】中継装置間に障害が発生した場合の動作について説明する。
【図５】中継装置が実行するフローチャートの一例を示す。
【図６】実施例２に係る入口側のエッジ装置について説明するための模式図である。
【図７】入口側のエッジ装置が実行するフローチャートの一例を示す図である。
【符号の説明】
【００４７】
１０  エッジ装置
１１  カプセル化処理部
１２  転送処理部
１３  Work/Prot.選択部
１４  書換え部
１５  ＢＶＩＤ付与部
２０  中継装置
２１  書換え部
２２  転送処理部
３０  エッジ装置
１００  ＰＢＢ−ＴＥネットワーク
Ｎ１，Ｎ４  エッジ装置
Ｎ２，Ｎ３，Ｎ５，Ｎ６  中継装置
【図１】
2010074674.tif 000003
【図２】
2010074674.tif 000004
【図３】
2010074674.tif 000005
【図４】
2010074674.tif 000006
【図５】
2010074674.tif 000007
【図６】
2010074674.tif 000008
【図７】
2010074674.tif 000009